(57)【特許請求の範囲】
【請求項１】
発光部を複数の発光色により発光させるイベント用発光具であって、
前記発光色による発光順序パターンを記憶する記憶部と、
少なくとも基本入力部と第１入力部の２つの入力部を有し、
前記記憶部には予め前記発光色による発光順序パターン（第１発光順序パターン）が記憶されるとともに、前記記憶部は、前記イベント用発光具の使用者が設定する任意の発光順序パターン（第２発光順序パターン）を記憶できるものであり、
前記基本入力部は、前記第１発光順序パターンにより前記発光部を発光させる場合の電源のオン・オフ入力部であり、
前記第１入力部は、前記第２発光順序パターンにより前記発光部を発光させる場合の電源のオン・オフ入力部となる
ことを特徴とする、イベント用発光具。
【請求項２】
発光部を複数の発光色により発光させるイベント用発光具であって、
前記発光色による発光順序パターンを記憶する記憶部と、
少なくとも基本入力部と第１入力部と第２入力部の３つの入力部を有し、
前記記憶部には予め前記発光色による発光順序パターン（第１発光順序パターン）が記憶されるとともに、前記記憶部は、前記イベント用発光具の使用者が設定する少なくとも２つの任意の発光順序パターン（第２発光順序パターン、第３発光順序パターン）を記憶できるものであり、
前記基本入力部は、前記第１発光順序パターンにより前記発光部を発光させる場合の電源のオン・オフ入力部であり、
前記第１入力部は前記第２発光順序パターンによって前記発光部を発光させる場合の電源のオン・オフ入力部となり、
前記第２入力部は前記第３発光順序パターンによって前記発光部を発光させる場合の電源のオン・オフ入力部となる
ことを特徴とする、イベント用発光具。
【請求項３】
前記任意の発光順序パターンの設定が、該任意の発光順序パターンに対応する入力部と、前記基本入力部とに対し、同時に入力されることにより開始される、請求項２に記載のイベント用発光具。
【請求項４】
前記任意の発光順序パターンの設定の完了後に、該任意の発光順序パターンに対応する入力部に入力することにより、この入力部が該任意の発光順序パターンによって前記発光部を発光させる場合の電源のオン・オフ入力部となる請求項２又は３に記載のイベント用発光具。
【請求項５】
発光部を複数の発光色により発光させるイベント用発光具であって、
前記発光色による発光順序パターンを記憶する記憶部と、
少なくとも第１入力部と第２入力部の２つの入力部を有し、
前記記憶部は、前記イベント用発光具の使用者が該イベント用発光具の外部端末装置から入力し設定する任意の第１発光順序パターンと第２発光順序パターンを記憶できるものであり、
前記第１入力部は、前記第１発光順序パターンにより前記発光部を発光させる場合の電源のオン・オフ入力部となり、
前記第２入力部は、前記第２発光順序パターンにより前記発光部を発光させる場合の電源のオン・オフ入力部となる
ことを特徴とする、イベント用発光具。
【請求項６】
前記記憶部は、前記イベント用発光具の使用者の更に１つ以上のＮ個の任意の追加発光順序パターンを記憶できるものであり、
更にＮ個の追加入力部を有し、
前記各追加発光順序パターンの設定完了後、各追加発光順序パターンに対応する各追加入力部に入力することにより、その追加入力部が対応する追加発光順序パターンによって前記発光部を発光させる場合の電源のオン・オフ入力部となる、請求項２〜５のいずれか一項に記載のイベント用発光具。
【発明の詳細な説明】
【技術分野】
【０００１】
本発明は、コンサートや各種イベントなど（本明細書において、総称して「コンサート等」という）で主に観客や参加者が用いるペンライト、スティックライト、棒状のライトなどの発光器具（本明細書において、「イベント用発光具」と称する。本発明における「イベント用発光具」はこのような発光器具全般を指す。）に関する。
【背景技術】
【０００２】
近年のイベントの特色の一つとして、観客がイベント用発光具を発光させてイベントに参加し、出演者と共にイベントを盛り上げたり楽しんだりすることが挙げられる。
【０００３】
例えば、複数のメンバーが在籍するアイドルグループにおいては、各メンバーが、それぞれのイメージカラー（担当カラーなどとも呼ばれる）を有していることが多い。このようなアイドルグループのイベントにおいては、観客（イベント用発光具の使用者）は、自己が応援するメンバーが舞台に登場したときに、そのメンバーのイメージカラーでイベント用発光具を発光させて応援するといったことを行う。また、例えば曲がイメージカラーを有することもあり、イベントにおいてその曲が演奏されるとき、観客がその色によってイベント用発光具を発光させる、といったことも行われる。
【０００４】
このように、一つのイベントにおいて多くの発光色が用いられる状況となっていることから、一本で多数の発光色が得られるイベント用発光具が望まれている。
【０００５】
これに応えるものとして、光源に赤色ＬＥＤ、緑色ＬＥＤ及び青色ＬＥＤ（ＲＧＢのＬＥＤ）を用い、これらからの発光色を調整して複数の発光色を得ることが考えられる（特許文献１）。これは、いわゆる光の三原色の原理（色の三色性など、グラスマンの法則）を利用するものである。この技術によると、１本のペンライトによって多数の発光色が得られる（異なる発光色にて順次点灯できる）ものとなる。更に近時においては、所望の発光色を飛躍的に容易に発光できるイベント用発光具が提案されている（特許文献２）。
【０００６】
これらの多数の発光色で発光できるイベント用発光具においては、複数の特定の発光色が特定の順序で記憶部に記憶されている。しかし、発光色の数は２０色以上にのぼることがあり、それらの多数の発光色の中から、使用者が発光させたい発光色を素早く点灯させることができることが望まれる。
【０００７】
これに対処するものとして、イベント用発光具の発光部が発光する順序（発光順序パターン。複数の発光色についてのひとまとまりの発光順序。）を、その使用者の希望どおりにカスタム（記憶部に記憶）させることが考えられる。これによれば、使用者が発光させる回数が多い発光色を、記憶される発光順序パターンの最初の方に配すること（記憶させること）により、使用者が所望する（ないし所望することの多い）発光色を一定程度得やすくすることができる。
【０００８】
また、特許文献３も提案されている。これは、イベント用発光具において、発光部が発する色を選択するための複数の被操作部を備えている集合スイッチが設けられ、この集合スイッチの各被操作部のうちで、操作がされた被操作部に応じた色を発光部で発光させる、というものである。かかる特許文献３の発明は、例えば、あるメンバーのイメージカラーや、ある曲のイメージカラーを発光させたいというときなどに、集合スイッチを操作することより、その都度、「発光具の使用者が欲する色に素早く切り換えることができる」（段落［０００７］）ようにすることを意図している。
【０００９】
ところが、近時のイベントにおいては、観客（イベント用発光具の使用者）にとってイベント用発光具を発光色させるべき順序が、予め判明している場合がある。一例として、アイドルグループが特定の曲を歌う際に、曲の中で各メンバーの歌う順が決まっている場合が挙げられる。この場合、観客であるイベント用発光具の使用者は、メンバーが歌う順で、それぞれのイメージカラーを順番に発光させることとなる。
【００１０】
このような場合は、使用者が好みの順序で記憶させた発光の順序からその場で発光色を選んだり、特許文献３のようにイベントの最中にその都度発光色を選んだりするのではなく、イベント用発光具の使用者が、上記のように判明している特定の発光順序パターンを、予めイベント用発光具に記憶させておけると便宜である。更に、発光順序パターンを複数記憶させ、使用時にこれを容易に変更できれば、例えば発光順序パターンが決まっている複数の曲（異なる発光順序パターン）に対し、素早く対応する（曲が変わった時に次の曲の発光順序パターンで発光させる）ことが可能となる。
【００１１】
特許文献４には、いくつかの発光パターンを有する発光装置が開示されている。しかしながら、特許文献４は、これらの発光パターンを切り替えるため、押下されたボタンに応じた発光色で発光させつつ、第２ボタンの短押しの有無、第１ボタンまたは第３ボタンの長押しの有無により、発光パターンを決するように構成されている（段落［００５８］［００６９］、図６）。すなわち、電源を入力した状態で切り替え操作を行うことを前提とし、複数のボタン操作（切り替え操作）を必要としていた。かかる切り替え操作は、非常に複雑であり、そもそも異なる（複数の）発光順序パターン間の変更を素早く切り替えることは想定されていない。
【００１２】
イベント中は手元が暗い場合が多く、また、イベント用発光具の操作にかけられる時間は充分に存しない。複雑な操作を必要とする発光装置は、イベント中に素早く発光順序パターンを変えたい使用者の要望に応え得るものではない。
【００１３】
イベント用発光具に記憶された、異なる（複数の）発光順序パターンを、イベント中に容易に変更できるようになれば、イベント用発光具の使用者が、例えば曲と曲の合間に発光順序パターンを素早く変更することができ、使用者にとって極めて便宜である。しかしながら、そのようなイベント用発光具はこれまで提案されてこなかった。
【先行技術文献】
【特許文献】
【００１４】
【特許文献１】特開２０００−９０７０２号
【特許文献２】特開２０１５−１４１７５４号
【特許文献３】特開２０１８−０８１７５２号
【特許文献４】特開２０１８−０９８００４号
【特許文献５】ＷＯ２０１６／０３５８３６
【発明の概要】
【発明が解決しようとする課題】
【００１５】
近時のイベント用発光具は、多数の発光色を発光でき、複数の発光順序パターンを記憶させることができるなど、機能が高度化している一方、これに伴う操作の複雑化を回避し、使用時の操作性を容易にして、その有する機能を使用者が容易に実現できるようにする必要が生じている。
【００１６】
本発明は、以上の点に鑑みてなされたものであり、複数の発光順序パターンで発光色を発光させられるとともに、それらの発光順序パターンを容易に変更することができるイベント用発光具を提供することを課題としてなされたものである。
【課題を解決するための手段】
【００１７】
本発明は、電源を入力した状態で複数の切り替え操作を行うことなく、発光順序パターンを変更するように構成する。
【００１８】
すなわち、上記課題を解決するため、本発明は、第１の側面として、
発光部を複数の発光色により発光させるイベント用発光具であって、
前記発光色による発光順序パターンを記憶する記憶部と、
少なくとも基本入力部と第１入力部の２つの入力部を有し、
前記記憶部には予め前記発光色による発光順序パターン（第１発光順序パターン）が記憶されるとともに、前記記憶部は、前記イベント用発光具の使用者が設定する任意の発光順序パターン（第２発光順序パターン）を記憶できるものであり、
前記基本入力部は、前記第１発光順序パターンにより前記発光部を発光させる場合の電源のオン・オフ入力部であり、
前記第１入力部は、前記第２発光順序パターンにより前記発光部を発光させる場合の電源のオン・オフ入力部となる
ことを特徴とする、イベント用発光具を提供する。
第２の側面として、本発明は、
発光部を複数の発光色により発光させるイベント用発光具であって、
前記発光色による発光順序パターンを記憶する記憶部と、
少なくとも基本入力部と第１入力部と第２入力部の３つの入力部を有し、
前記記憶部には予め前記発光色による発光順序パターン（第１発光順序パターン）が記憶されるとともに、前記記憶部は、前記イベント用発光具の使用者が設定する少なくとも２つの任意の発光順序パターン（第２発光順序パターン、第３発光順序パターン）を記憶できるものであり、
前記基本入力部は、前記第１発光順序パターンにより前記発光部を発光させる場合の電源のオン・オフ入力部であり、
前記第１入力部は前記第２発光順序パターンによって前記発光部を発光させる場合の電源のオン・オフ入力部となり、
前記第２入力部は前記第３発光順序パターンによって前記発光部を発光させる場合の電源のオン・オフ入力部となる
ことを特徴とする、イベント用発光具を提供する。
第３の側面として、本発明は、
前記任意の発光順序パターンの設定が、該任意の発光順序パターンに対応する入力部と、前記基本入力部とに対し、同時に入力されることにより開始される、上記のイベント用発光具を提供する。
第４の側面として、本発明は、
前記任意の発光順序パターンの設定の完了後に、該任意の発光順序パターンに対応する入力部に入力することにより、この入力部が該任意の発光順序パターンによって前記発光部を発光させる場合の電源のオン・オフ入力部となる上記のイベント用発光具を提供する。
第５の側面として、本発明は、
発光部を複数の発光色により発光させるイベント用発光具であって、
前記発光色による発光順序パターンを記憶する記憶部と、
少なくとも第１入力部と第２入力部の２つの入力部を有し、
前記記憶部は、前記イベント用発光具の使用者が該イベント用発光具の外部端末装置から入力し設定する任意の第１発光順序パターンと第２発光順序パターンを記憶できるものであり、
前記第１入力部は、前記第１発光順序パターンにより前記発光部を発光させる場合の電源のオン・オフ入力部となり、
前記第２入力部は、前記第２発光順序パターンにより前記発光部を発光させる場合の電源のオン・オフ入力部となる
ことを特徴とする、イベント用発光具を提供する。
第６の側面として、本発明は
前記記憶部は、前記イベント用発光具の使用者の更に１つ以上のＮ個の任意の追加発光順序パターンを記憶できるものであり、
更にＮ個の追加入力部を有し、
前記各追加発光順序パターンの設定完了後、各追加発光順序パターンに対応する各追加入力部に入力することにより、その追加入力部が対応する追加発光順序パターンによって前記発光部を発光させる場合の電源のオン・オフ入力部となる、上記のイベント用発光具を提供する。
【発明の効果】
【００１９】
本発明によれば、イベント用発光具が複数の発光順序パターンを有する場合においても、発光順序パターンの変更のための操作を単純化することができる。従って、例えば、手元が暗いイベント会場や、短い時間の中でも、所望の発光順序パターンを得ることが容易となる。
【図面の簡単な説明】
【００２０】
【図１】本発明の一実施例におけるイベント用発光具を示す図である。
【図２】本発明の他の実施例におけるイベント用発光具を示す図である。
【図３】本発明の更に他の実施例におけるイベント用発光具を示す図である。
【発明を実施するための形態】
【００２１】
以下、本発明に係る実施形態を、図面を参照しながら具体的に説明する。
【００２２】
（実施例１）
図１に本実施例のイベント用発光具１０の一例を示す。本発明のイベント用発光具は、発光部５を複数の発光色により発光させ得るものである。本実施例においては、赤色ＬＥＤ、青色ＬＥＤ、緑色ＬＥＤ、白色ＬＥＤ、黄色ＬＥＤの５つのＬＥＤ光源により後掲の３０色を発光できるものとする。これらの光源から発せられた光により発光部５を発光させる。
【００２３】
本実施例においては、使用者が操作するための入力部として、基本入力部２と第１入力部１の２つの入力部を有する。
【００２４】
また、本発明のイベント用発光具は、複数の発光色の発光順序を記憶する記憶部（図示せず）を有する。記憶部は、イベント用発光具の内部に配置されている。この記憶部には、初期設定として、予め複数の発光色の発光順序パターン（第１発光順序パターン）が記憶される。第１発光順序パターンの一例として、表１の項番の順で発光するように発光順序パターンが記憶される。
【００２５】
表１
１．レッド  →  ２．エンジレッド  →  ３．ルビー  →  ４．ローズ  →  ５．ブルー  →  ６．ライトブルー  →  ７．アイスブルー  →  ８．ウォーターブルー  →  ９．アクアブルー  →  １０．ターコイズ  →  １１．イエロー  →  １２．ライム  →  １３．ライトイエロー  →  １４．オレンジ  →  １５．パッションオレンジ  →  １６．ヤマブキオレンジ  →  １７．グリーン  →  １８．イエローグリーン  →  １９．ライトグリーン  →  ２０．ペパーミントグリーン  →  ２１．エメラルドグリーン  →  ２２．ピンク  →  ２３．ピーチ  →  ２４．サクラピンク  →  ２５．フレンチローズ  →  ２６．バイオレット  →  ２７．パープル  →  ２８．アメジスト  →  ２９．ラベンダー  →  ３０．ホワイト
【００２６】
このように記憶された発光色は、使用者の入力部への入力（ボタンの押下）に応じ、制御部（図示せず）が上記表の順番で発光させる。制御部は記憶部、ＬＥＤ等の光源などと通じ各種制御を行うもので、イベント用発光具の内部に配置されており、コンピュータ、ＣＰＵを用いることができる（他の実施例でも同じ）。項番３０の次は、項番１へ戻り、以下、２、３、・・・の順で発光する。
【００２７】
この発光順序パターンは、発光した状態で例えば第１入力部１を押下するごとに順次切り替わるように構成することができる（順送り）。例えば、レッド（表１項番１）が発光している状態で第１入力部１を１度押下すると、エンジレッド（表１項番２）に切り替わり、更にもう１度第１入力部１を押下すると、ルビー（表１項番３）に切り替わる、などである。
【００２８】
この例では発光色を３０色としているが、この発光色数や上記発光色は一例であり、限定されるものではない（他の実施例も同じ）。
【００２９】
なお、第１発光順序パターンにおいて、上記順送りとは逆の順番で発光させるように構成することも可能である（逆送り）。例えば、ルビー（表１項番３）が発光している状態で基本入力部２を１度押下すると、エンジレッド（表１項番２）に切り替わり、更にもう１度基本入力部２を押下すると、レッド（表１項番１）に切り替わる、などのように構成することもできる。
【００３０】
更に、記憶部は、イベント用発光具の使用者が所望する（任意の）発光順序パターン（第２発光順序パターン）を記憶させることができる。第２発光順序パターンの一例として、表２の項番の順で発光するように発光順序パターンを記憶させる。
【００３１】
表２
１．イエロー  →  ２．バイオレット  →  ３．ブルー  →  ４．ライム  →  ・・・（中略）・・・  →  ３０．グリーン
【００３２】
項番３０の次は、項番１へ戻り、以下、項番２、３、・・・の順で発光する。
【００３３】
この発光順序パターンは、発光した状態で例えば第１入力部を押下するごとに順次切り替わるように構成することができる（順送り）。例えば、イエロー（表２項番１）が発光している状態で第１入力部１を１度押下すると、バイオレット（表２項番２）に切り替わり、更にもう１度第１入力部１を押下すると、ブルー（表２項番３）に切り替わる、などである。
【００３４】
なお、第２発光順序パターンにおいても、上記順送りとは逆の順番（逆送り）で発光させるように構成することも可能である。
【００３５】
この例では、第２発光順序パターンとして記憶する発光色を３０色としているが、この発光色数や上記発光色は一例であり、限定されるものではない（他の実施例の第２発光順序パターン、第３発光順序パターン、・・・においても同様）。
【００３６】
具体的には、例えば第２発光順序パターンを、第１発光順序パターンに対応した最大発光色数の３０色とせずに、発光色を重複登録させ、最大５０個（一例）登録できるように構成することが可能である。
【００３７】
また、発光色数を、例えばより少ない数（例：１．イエロー→２．バイオレットの２色のみ）を記憶させるように構成することも可能である。これによれば、使用者が第２発光順序パターンについては少ない発光色数（例えば使用機会の多い上記２色）とすることで、これらの発光色について素早く発光させるようにすることもできる。
【００３８】
第２発光順序パターンは、第１発光順序パターンと異なるものとすることができるので、本実施例のイベント用発光具１０は、２種類の発光順序パターンを有するものとなる。
【００３９】
ここで、本実施例のイベント用発光具１０においては、第１発光順序パターンにより発光部を発光させる場合につき、基本入力部２を電源のオン・オフ入力部となるように構成する。また、第２発光順序パターンにより発光部を発光させる場合につき、第１入力部１を電源のオン・オフ入力部となるように構成する。これによれば、例えば第１発光順序パターンによりブルー（表１項番５）が発光しているときに、基本入力部２を操作（例えば１回押下）して電源をオフにし、次に第１入力部１を操作（例えば１回押下）して電源をオンにする。これにより例えばイエロー（表２項番１）が点灯する。この点灯状態は、第２発光順序パターンによる電源オンの状態であるので、順送りの場合、第１入力部を押下するごとに、発光色がバイオレット（表２項番２）→ブルー（表２項番３）→・・・（表２参照）と切り替わるものとなる。
【００４０】
なお、第２発光順序パターンにより発光しているときに、第１入力部１を操作（例えば１回押下）して電源をオフにし、再度基本入力部２を操作（例えば１回押下）して電源をオンにした場合、第１発光順序パターンで発光するが、このときの発光色は、前回最後に発光していたブルー（表１項番５）とすることもできるし、常に表１の１番目レッドが発光するように構成することもできる。再度第２発光順序パターンで発光させる場合も同様である。他の実施例においても同様である。
【００４１】
第１入力部１は、使用者がこれを電源のオン・オフ入力部となるように設定しなければ、電源のオン・オフ入力部とならないので、使用者の任意で基本入力部２のみを本イベント用発光具の電源のオン・オフ入力部としておくことも可能である。
【００４２】
イベント用発光具１０は、一度記憶させた第２発光順序パターンを記憶部から削除し、新たな発光順序パターンで記憶し直せるように構成することもできる。
【００４３】
以上のように構成することにより、イベント用発光具が複数の発光順序パターンを有する場合においても、発光順序パターンの変更のための操作を単純化することができる。
【００４４】
すなわち、例えば第１発光順序パターンで点灯中に基本入力部２を押下して消灯し、第１入力部１を押下して点灯させるだけで、第２発光順序パターンとすることができる。第２発光順序パターンで点灯している際も同様であり、第１入力部１を押下して消灯し、基本入力部２を押下して点灯させるだけで、第１発光順序パターンとすることができる。
【００４５】
また、現在の点灯状態が第１発光順序パターンによるものかあるいは第２発光順序パターンによるものかが不明である場合においても、基本入力部２を押下して消灯させ（第１発光順序パターンで発光していたことになる）、あるいは消灯しない場合は第１入力部１を押下して消灯（第２発光順序パターンで発光していたことになる）させればよく、次に基本入力部２（第１発光順序パターン）または第１入力部１（第２発光順序パターン）のうち希望する方を押下すれば、希望する発光順序パターンによる発光を開始させることができる。
【００４６】
更に、消灯状態においては、単に、基本入力部２（第１発光順序パターン）または第１入力部１（第２発光順序パターン）のうち希望する方を押下すれば、希望する発光順序パターンによる発光を開始することが可能となる。
【００４７】
このように、本発明によれば、所望の発光順序パターンを端的に得ることができるので、例えば手元が暗いイベント会場や、短い時間の中でも、容易に発光順序の変更が可能となる。その結果、本発明のイベント用発光具の使用者は、操作に煩わされることなく、本来のイベントそのものに集中することができる。
【００４８】
なお、使用者による各種の入力や設定は、入力部を長押ししたり（例えば２秒）、短押ししたり（例えば０．５秒）できるように構成しておくことで、操作できるようにすることが可能である。
【００４９】
（実施例２）
図２に本実施例のイベント用発光具の一例を示す。本実施例においても、実施例１と同様に５つのＬＥＤで３０色を発光できる場合を例にして説明する。
【００５０】
本実施例においては、イベント用発光具１００は、使用者が操作するための入力部として、第１入力部１０１、第２入力部１０２及び基本入力部１０３の３つの入力部を有するものとする。この実施例においては、基本入力部１０３を中央に配し、第１入力部１０１をその右側に、第２入力部１０２を基本入力部１０３の左側に配置している。
【００５１】
本発明のイベント用発光具は、複数の発光色の発光順序を記憶する記憶部を有し、この記憶部には、初期設定として、実施例１と同じく予め複数の発光色の発光順序パターン（第１発光順序パターン）が記憶される。
【００５２】
発光順序パターンは、発光した状態で例えば第１入力部１０１を押下するごとに順次切り替わるように構成することができる（順送り）。第１発光順序パターンの具体例（一例）は、実施例１に掲載のとおりである。また、実施例１と同様、逆送りもできるように構成すること（例えば第２入力部１０２を押下）が可能である。
【００５３】
更に、記憶部は、イベント用発光具１００の使用者が所望する（任意の）発光順序として、第２発光順序パターン及び第３発光順序パターンを記憶させることができる。第２発光順序パターンの一例は、実施例１に掲載のとおりである。第３発光順序パターンの一例として、表３の項番の順で発光するように発光順序を記憶させる。
【００５４】
表３
１．ピンク  →  ２．グリーン  →  ３．ローズ  ・・・（中略）・・・  →  ３０．ホワイト
【００５５】
項番３０の次は、項番１へ戻り、以下、項番２、３、・・・の順で発光する。
【００５６】
第２発光順序パターン及び第３発光順序パターンは、発光した状態で例えば第１入力部１０１を押下するごとに順送りできるように構成することができる。また、逆送りもできるように構成すること（例えば第２入力部１０２を押下）が可能である。
【００５７】
第１発光順序パターン、第２発光順序パターン及び第３発光順序パターンは、それぞれ異なるものとすることができるので、本実施例のイベント用発光具１００は、３種類の発光順序を有するものとなる。
【００５８】
ここで、本実施例のイベント用発光具１００においては、第１発光順序パターン（初期設定）により発光部５０を発光させる場合につき、例えば基本入力部１０３を電源のオン・オフ入力部となるように構成する。また、第２発光順序パターン（カスタムメモリー１）により発光部を発光させる場合は、第１入力部１０１を電源のオン・オフ入力部となるように構成する。更に、第３発光順序パターン（カスタムメモリー２）により発光部を発光させる場合は、第２入力部１０２を電源のオン・オフ入力部となるように構成する。
【００５９】
例えば第１発光順序パターンにより発光しているときに、基本入力部１０３を操作（例えば１回押下）して電源をオフにし、次に第１入力部１０１を操作（例えば１回押下）して電源をオンにする。これにより例えばイエロー（表２項番１）が点灯する。この点灯状態は、第２発光順序パターンによる電源オンの状態であるので、順送りの場合、第１入力部１０１を押下するごとに、発光色がバイオレット（表２項番２）→ブルー（表２項番３）→・・・（表２参照）と切り替わるものとなる。
【００６０】
また、例えば第２発光順序パターンにより発光しているときに、第１入力部１０１を操作（例えば１回押下）して電源をオフにし、次に第２入力部１０２を操作（例えば１回押下）して電源をオンにする。これにより例えばピンク（表３項番１）が点灯する。この点灯状態は、第３発光順序パターンによる電源オンの状態であるので、順送りの場合、第１入力部１０１を押下するごとに、発光色がグリーン（表３項番２）→ローズ（表３項番３）→・・・（表３参照）と切り替わるものとなる。
【００６１】
なお、第１入力部１０１や第２入力部１０２は、使用者がこれを電源のオン・オフ入力部となるように設定しなければ、電源のオン・オフ入力部とならないので、使用者の任意で基本入力部１０３のみ（または第１入力部１０１と第２入力部１０２のみ、もしくは第１入力部１０１と基本入力部１０３のみ）を本イベント用発光具の電源のオン・オフ入力部としておくことも可能である。
【００６２】
イベント用発光具１００は、一度記憶させた第２発光順序パターンや第３発光順序パターンを記憶部から削除し、新たな発光順序パターンで記憶し直せるように構成することもできる。
【００６３】
このように構成することにより、イベント用発光具がより多くの発光順序パターンを有する場合においても、発光順序パターンの変更のための操作を単純化することができる。すなわち、本実施例においても、実施例１の効果と同様の効果が得られることとなるが、記憶される発光順序パターンが多くなるにもかかわらず、それらに紐付けられた特定の入力部を操作（押下）するだけで発光順序を切り替えることができることから、操作の単純化により得られる効果は、より一層顕著なものとなる。
【００６４】
（実施例３）
上記実施例２は、発光順序パターンと入力部がそれぞれ３つずつの場合であるが、これらは適宜増やすことが可能である。一例として、入力部が４つ（第１入力部１１１、第２入力部１１２、基本入力部１１３、第３入力部１１４）のイベント用発光具１１０例を図３に示す。この場合、発光順序パターンは４つとなる。
【００６５】
その他、当業者であれば、上記実施例を参照して構成することが可能である。ただし、各発光順序パターンと各入力部（特定の入力部）とは、対応している必要がある。
【００６６】
ところで、実施例２、３のように入力部が多くなる場合、使用者が所望する任意の発光順序パターンの設定につき、該任意の発光順序パターンに対応する特定の入力部（第２入力部、第３入力部、・・・）と、第１入力部とに、同時に入力されることにより設定が開始されるように構成することもできる。
【００６７】
この構成につき、以下一例として、実施例２において、第２発光順序パターンをオレンジ→ライトブルー→イエローの順で発光させるように設定し、かつ、第３発光順序パターンをライム→ピーチ→パープルの順で発光させるように設定する場合をもって説明する。
【００６８】
［第２発光順序パターンの記憶設定］
まず、電源がオフの状態で基本入力部１０３を押しながら、第１入力部１０１を長押しすると、第２発光順序パターンの記憶設定モードが開始する。
【００６９】
この記憶設定モードの開始と同時に、第１発光順序パターン（初期設定）における第１番目の発光色（レッド）が発光部において点滅発光する。第１入力部１０１を押すと、発光色が表１の順に順送りされるので、第１番目の発光色としたいオレンジが発光するまで発光色を順送りする（なお、第２入力部１０２で逆送りしてオレンジを発光させてもよい）。オレンジが発光したら、基本入力部１０３を押すと、第２発光順序パターンの第１番目の発光色としてオレンジの登録が完了する。なお、基本入力部１０３を押した際に、オレンジが早く点滅するようにして登録完了を知らせるように構成するなどしてもよい。
【００７０】
次に、第１入力部１０１を押して発光色を順送りし（又は第２入力部１０２を押して逆送りし）、第２番目の発光色としたいライトブルーを発光させる。ライトブルーが発光したら、基本入力部１０３を押すと、第２発光順序パターンの第２番目の発光色としてライトブルーの登録が完了する。
【００７１】
更に、第１入力部１０１を押して発光色を順送りし（又は第２入力部を押して逆送りし）、第３番目の発光色としたいイエローを発光させる。イエローが発光したら、基本入力部１０３を押すと、第２発光順序パターンの第３番目の発光色としてイエローの登録が完了する。
【００７２】
このように所望する全ての発光色の登録が完了した後、第１入力部１０１を長押しして電源をオフにすると、第２発光順序パターンの設定（登録）が完了する。これにより、第１入力部は、第２発光順序パターンによって発光部を発光させる場合の電源のオン・オフ入力部となる。
【００７３】
［第３発光順序パターンの記憶設定］
電源がオフの状態で基本入力部１０３を押しながら、第２入力部１０２を長押しすると、第２発光順序パターンの記憶設定モードが開始する。
【００７４】
この記憶設定モードの開始と同時に、第１発光順序パターン（初期設定）における第１番目の発光色（レッド）が発光部において点滅発光する。第１入力部１０１を押して発光色を順送りし（又は第２入力部１０２を押して逆送りし）、第３発光順序パターンとして第１番目の発光色としたいライムを発光させる。ライムが発光したら、基本入力部１０３を押すと、第３発光順序パターンの第１番目の発光色としてライムの登録が完了する。
【００７５】
次に、第１入力部１０１を押して発光色を順送りし（又は第２入力部１０２を押して逆送りし）、第２番目の発光色としたいピーチを発光させる。ピーチが発光したら、基本入力部１０３を押すと、第２発光順序パターンの第２番目の発光色としてピーチの登録が完了する。
【００７６】
更に、第１入力部１０１を押して発光色を順送りし（又は第２入力部１０２を押して逆送りし）、第３番目の発光色としたいパープルを発光させる。パープルが発光したら、基本入力部１０３を押すと、第３発光順序パターンの第３番目の発光色としてパープルの登録が完了する。
【００７７】
このように所望する全ての発光色の登録が完了した後、第２入力部１０２を長押しして電源をオフにすると、第３発光順序パターンの設定（登録）が完了する。これにより、第２入力部は、第３発光順序パターンによって発光部を発光させる場合の電源のオン・オフ入力部となる。
【００７８】
このように構成すれば、使用者が所望する任意の発光順序パターンの設定につき、該任意の発光順序パターンに対応する特定の入力部（第１入力部、第２入力部、・・・）と、基本入力部とに対し同時に入力（押下）されることにより開始されるため、複数の発光順序パターンを記憶設定させる場合でも、それがどの発光順序パターンの設定記憶か明確となる。また、基本入力部の同時とすることで、誤操作防止の効果も得ることが可能となる。
【００７９】
更に、任意の発光順序パターンにおいてすべての発光色を登録（設定）した後、当該発光順序パターンに対応する入力部に入力（押下）することにより、発光順序パターンの設定（登録）が完了し、この入力部が当該発光順序パターンによって発光部を発光させる場合の電源のオン・オフ入力部となるため、複数の発光順序パターンを記憶設定させる場合でも、それがどの発光順序パターンの設定記憶かが一層明確となる。
【００８０】
いずれの実施例においても、基本入力部が他の全ての入力部と隣り合うように配置されると、同時入力が容易となり得る。
【００８１】
（変形例）
近時のイベント用発光具には、使用者が外部の端末装置（スマートフォンなど）から発光条件を選択、設定するものも存する（特許文献５）。この場合、必ずしも初期設定としてイベント用発光具の記憶部に発光色を記憶させておかなくてもよいこととなる。本発明は、このようなイベント用発光具にも適用が可能である。
【００８２】
例えば、イベント用発光具に少なくとも第１入力部と第２入力部の２つの入力部を設ける。入力部が２つの場合、記憶部は、イベント用発光具の使用者が外部端末装置から所望する任意の発光順序パターンを、最大２つ（第１発光順序パターン、第２発光順序パターン）記憶できるものとする。そして、第１入力部につき、第１発光順序パターンにより発光部を発光させる場合の電源のオン・オフ入力部となり、第２入力部につき、第２発光順序パターンにより発光部を発光させる場合の電源のオン・オフ入力部となるように構成する。
【００８３】
記憶部は、追加発光順序パターン（第３発光順序パターン、第４発光順序パターン、・・・）を記憶させることもでき、入力部（第３入力部、第４入力部、・・・）を追加することも可能である。この場合、例えば第３入力部は、第３発光順序パターンにより発光部を発光させる場合の電源のオン・オフ入力部となるなど、各発光順序パターンと各入力部が対応するように構成する。
【００８４】
これによれば、上記所定のものと同様の技術的効果が得られるものとなる。
【産業上の利用可能性】
【００８５】
近時のイベントにおいては、観客がイベント用発光具を使用して積極的にイベントに参加することが多く行われるようになっている。これに対応するため、イベント用発光具は、多数の発光色（２０色以上）による発光が可能となり、これらの発光色を複数の発光順序パターンで発光できるなど、機能が高度化している。
【００８６】
一方、機能の高度化に伴い、操作性が複雑となり、使用者はそれらの機能を容易に使いこなせない場合も少なくない状況にある。特に、イベント用発光具は、手元が暗い状況下で使用したり、操作する時間が十分にない状況下で使用したりするのが通常であり、操作が複雑になると、使用者は、イベントに集中できなくなったり、それらの機能を使いこなすのが困難となり、結局使わなくなったりする。
【００８７】
本発明によれば、操作性が飛躍的に単純化されるので、上記のような状況下においても、使用者の操作を容易にすることが可能となる。特に、本発明によれば、イベント用発光具が複数の発光順序パターンを有する場合であっても、発光順序パターンを容易に変更することができる。
【００８８】
そのため、本発明は、単に使用者が複数の発光色を所望の発光順序で記憶させられるというだけでなく、例えば、ある曲において特定の発光順序パターンで発光させた後、素早く、次の曲で別の発光順序パターンで発光させるといったことが可能となる。
【００８９】
その結果、本発明のイベント用発光具の使用者は、操作に煩わされることなく、本来のイベントそのものに集中することができることとなる。
【００９０】
本発明は、かかるイベント用発光具特有の課題に対処するものであり、当業界における産業上の利用可能性は極めて高い。
【符号の説明】
【００９１】
１、１０１、１１１  第１入力部
１０２、１１２  第２入力部
２、１０３、１１３  基本入力部
１１４  第３入力部
５、５０  発光部
１０、１００、１１０  イベント用発光具
【要約】
【課題】  コンサートや各種イベントなどで主に観客や参加者が用いる多色発光するイベント用発光具において、複数の発光順序パターンで発光色を発光させられるとともに、それらの発光順序パターンを容易に変更することができるイベント用発光具を提供することである。
【解決手段】  多色発光するイベント用発光具につき、発光色の発光順序パターンを記憶する記憶部と、少なくとも第１入力部と第２入力部の２つの入力部を有するものとする。前記記憶部には、複数の発光順序パターンが記憶可能である。前記記憶部に第１発光順序パターンと第２発光順序パターンの２つの発光順序パターンが記憶される場合、前記第１入力部は、前記第１発光順序パターンにより前記発光部を発光させる場合の電源のオン・オフ入力部となり、前記第２入力部は、前記第２発光順序パターンにより前記発光部を発光させる場合の電源のオン・オフ入力部となる。発光順序パターンとこれに対応する入力部を追加することができる。
【選択図】  図１【図１】
0006651080.tif 000002
【図２】
0006651080.tif 000003
【図３】
0006651080.tif 000004